(57)【要約】【課題】使用者が立った状態でもテーブルの安定性が比較的高く、ストラップと使用者の手や腕とが干渉しにくいため飲食がしやすい携帯テーブルを提供する。【解決手段】テーブル１が板状であり、テーブル１の左端縁Ｌの前後部及び右端縁Ｒの前後部とストラップ２の両端部とに着脱可能な取付部を設け、ストラップ２の一端部の取付部をテーブル１の左端縁Ｌの前部の取付部に取り付けるとともにストラップ２の他端部の取付部をテーブル１の右端縁Ｒの後部の取付部に取り付けた状態、又は、ストラップ２の一端部の取付部をテーブル１の左端縁の後部の取付部に取り付けるとともにストラップ２の他端部の取付部をテーブル１の右端縁の前部の取付部に取り付けた状態で、ストラップ２を使用者Ｕが肩に斜め掛けして使用する。【選択図】図３
0003171470.tif 000002
【実用新案登録請求の範囲】
【請求項１】
使用者の前方で飲食物を載置可能なテーブル及び前記テーブルを前記使用者が吊り下げるためのストラップからなる携帯テーブルであって、
前記テーブルが板状であり、前記テーブルの左端縁の前後部及び右端縁の前後部と前記ストラップの両端部とに着脱可能な取付部を設け、
前記ストラップの一端部の取付部を前記テーブルの左端縁の前部の取付部に取り付けるとともに、前記ストラップの他端部の取付部を前記テーブルの右端縁の後部の取付部に取り付けた状態、又は、前記ストラップの一端部の取付部を前記テーブルの左端縁の後部の取付部に取り付けるとともに、前記ストラップの他端部の取付部を前記テーブルの右端縁の前部の取付部に取り付けた状態で、前記ストラップを肩に斜め掛けして使用されることを特徴とする携帯テーブル。
【請求項２】
前記テーブルの前記使用者側の端縁を、平面視において円弧状に窪ませてなる請求項１記載の携帯テーブル。
【請求項３】
使用者の前方で飲食物を載置可能なテーブル及び前記テーブルを前記使用者が吊り下げるためのストラップからなる携帯テーブルであって、
前記テーブルが略矩形板状で上下面の両方をテーブル面としたものであり、前記テーブルの左端縁の前部及び前記テーブルの右端縁の後部と、又は、前記テーブルの左端縁の後部及び前記テーブルの右端縁の前部と、前記ストラップの両端部とに取付部を設け、
前記ストラップの両端部の取付部を前記テーブルの左右端縁の取付部に取り付けた状態で、前記ストラップを肩に斜め掛けして使用されることを特徴とする携帯テーブル。
【請求項４】
前記ストラップの長さを調整可能にしてなる請求項１〜３の何れか１項に記載の携帯テーブル。
【請求項５】
前記テーブルに、側面がテーパ状のコップを保持するための円形の通孔を形成するとともに、この通孔に嵌合する有底の第１円筒部及びこの第１円筒部の上方に位置して拡径する第２円筒部からなる飲料ホルダーを備えてなる請求項１〜４の何れか１項に記載の携帯テーブル。
【考案の詳細な説明】
【技術分野】
【０００１】
本考案は、スポーツ観戦、屋外イベント、行楽又は災害時の炊き出し等における飲食に好適な個人用の携帯テーブルに関する。
【背景技術】
【０００２】
野球、サッカー等のスポーツ観戦、グルメフェア、お祭り、花火大会等の屋内外のイベント、ハイキング、遠足等の行楽又は災害時の炊き出し等における飲食の際に、使用者が自身の飲食物を載置する個人用の携帯テーブルとして、紐又はベルトにより首に掛けた状態で使用するものがある（例えば、特許文献１又は２参照。）。
特許文献１の携帯テーブルは、厚板台紙を折り込んで略六面体の中空箱を作ってテーブルとし、その上面に皿受け穴及びコップ受け穴等を形成するとともに、テーブルの左右側面に形成した取手に両端を輪にした紐を取り付けたものである。
また、特許文献２の携帯テーブルは、合成樹脂製のテーブル（トレイ本体）を２つ折り自在に構成し、使用者の膝に挾着係合するホルダ部材をテーブルの裏面に設けるとともに、テーブルの両側部に吊架用のベルトを装着したものである。
【先行技術文献】
【特許文献】
【０００３】
【特許文献１】実開平７−４４４１７号公報
【特許文献２】特開平９−２２４８０４号公報
【考案の概要】
【考案が解決しようとする課題】
【０００４】
特許文献１のような携帯テーブルは、厚紙で形成されることから、湿気を吸って変形したり破れやすく耐久性が低いため、使用回数が制限される。したがって、比較的頻繁にごみが発生することになる。その上、テーブルが厚板台紙を折り込んで形成された中空箱であることからスマートでなく体裁が悪いため、特におしゃれ感覚が鋭くスタイルや流行に敏感な若い女性等に受け入れられるものではない。
また、特許文献２のような携帯テーブルは、使用者の膝上にテーブルを安定して保持するためのホルダ部材を設けて使用者が椅子等に座った状態で使用するものであり、使用者が立った状態でテーブル上に飲食物を載せる際にはテーブルが不安定であるため、使用者が必ず手でテーブルを保持する必要がある。
さらに、特許文献１及び２の携帯テーブルは、使用者が飲食をする際に、首に掛けた状態でテーブルを吊り下げている紐やベルトが飲食物を持った手や腕と干渉しやすく、飲食しにくいものである（特許文献１の図３及び特許文献２の図３参照。）。
【０００５】
そこで本考案が前述の状況に鑑み、解決しようとするところは、長期間にわたって繰り返し使用することができ、シンプルかつスマートな構成で若い女性等にも受け入れられやすく、使用者が立った状態でもテーブルの安定性が比較的高い構成でありながら、ストラップと使用者の手や腕とが干渉しにくいため飲食がしやすい携帯テーブルを提供する点にある。
【課題を解決するための手段】
【０００６】
本考案に係る携帯テーブルは、前記課題解決のために、使用者の前方で飲食物を載置可能なテーブル及び前記テーブルを前記使用者が吊り下げるためのストラップからなる携帯テーブルであって、前記テーブルが板状であり、前記テーブルの左端縁の前後部及び右端縁の前後部と前記ストラップの両端部とに着脱可能な取付部を設け、前記ストラップの一端部の取付部を前記テーブルの左端縁の前部の取付部に取り付けるとともに、前記ストラップの他端部の取付部を前記テーブルの右端縁の後部の取付部に取り付けた状態、又は、前記ストラップの一端部の取付部を前記テーブルの左端縁の後部の取付部に取り付けるとともに、前記ストラップの他端部の取付部を前記テーブルの右端縁の前部の取付部に取り付けた状態で、前記ストラップを肩に斜め掛けして使用されることを特徴とする。
【０００７】
このような構成によれば、テーブルが例えば合成樹脂製の板状のものであるため、長期間にわたって繰り返し使用することができる。
その上、板状のテーブルとストラップとからなるシンプルかつスマートな構成により、若い女性等にも受け入れられやすい。
その上さらに、ストラップを肩に斜め掛けした状態で使用され、テーブルの安定性が比較的高いことから、使用者が手でテーブルを略水平に保持し続ける必要がないため、使用者が座った状態及び立った状態において、使用者が飲食物をテーブルに載せること及びその飲食物を手に取って飲食をすることが容易である。
【０００８】
その上、ストラップの一端部の取付部をテーブルの左端縁の前部の取付部に、ストラップの他端部の取付部をテーブルの右端縁の後部の取付部に取り付けてストラップを使用者が肩に斜め掛けした状態では、使用者が右利きである場合の利き腕とストラップが干渉しにくく、ストラップの一端部の取付部をテーブルの左端縁の後部の取付部に、ストラップの他端部の取付部をテーブルの右端縁の前部の取付部に取り付けてストラップを使用者が肩に斜め掛けした状態では、使用者が左利きである場合の利き腕とストラップが干渉しにくい。したがって、利き腕と干渉しにくくなるようにストラップを付け替えて使用することにより、使用者が利き腕で飲食物をテーブルに載せること及びその飲食物を利き腕で取って飲食をしやすくなる。
その上さらに、ストラップの両端部の取付部をテーブルの左端縁の前部の取付部及び右端縁の前部の取付部に取り付けること、ストラップの両端部の取付部をテーブルの左端縁の後部の取付部及び右端縁の後部の取付部に取り付けること、又は、ストラップの両端部の取付部をテーブルの左端縁若しくは右端縁の前後部の取付部に取り付けることにより、使用者がストラップを肩に掛けた状態でテーブルが略垂下するため、体裁の良い形態で容易に持ち運ぶことができる。
【０００９】
ここで、前記テーブルの前記使用者側の端縁を、平面視において円弧状に窪ませてなると好ましい。
このような構成によれば、ストラップを使用者が肩に斜め掛けした状態で、平面視において円弧状に窪んだテーブルの使用者側端縁を使用者の胴部（腹部）に当接させることにより、テーブルがより安定した状態となるため、使用者が飲食物をテーブルに載せること及びその飲食物を手に取って飲食をする際における安定性を高めることができる。
【００１０】
また、本考案に係る携帯テーブルは、前記課題解決のために、使用者の前方で飲食物を載置可能なテーブル及び前記テーブルを前記使用者が吊り下げるためのストラップからなる携帯テーブルであって、前記テーブルが略矩形板状で上下面の両方をテーブル面としたものであり、前記テーブルの左端縁の前部及び前記テーブルの右端縁の後部と、又は、前記テーブルの左端縁の後部及び前記テーブルの右端縁の前部と、前記ストラップの両端部とに取付部を設け、前記ストラップの両端部の取付部を前記テーブルの左右端縁の取付部に取り付けた状態で、前記ストラップを肩に斜め掛けして使用されることを特徴とする。
【００１１】
このような構成によれば、テーブルが例えば合成樹脂製の略矩形板状のものであるため、長期間にわたって繰り返し使用することができる。
その上、矩形板状のテーブルとストラップとからなるシンプルかつスマートな構成により、若い女性等にも受け入れられやすい。
その上さらに、ストラップを肩に斜め掛けした状態で使用され、テーブルの安定性が比較的高いことから、使用者が手でテーブルを略水平に保持し続ける必要がないため、使用者が座った状態及び立った状態において、使用者が飲食物をテーブルに載せること及びその飲食物を手に取って飲食をすることが容易である。
その上、ストラップの両端部の取付部をテーブルの左右端縁の取付部に取り付けた状態で、ストラップの取付部とテーブルの取付部との取付箇所を変更することなく、テーブルの上下を反転させて使用することにより、使用者の利き腕と干渉しにくくなるようにストラップを肩に斜め掛けする方向を変えることができるため、使用者が利き腕で飲食物をテーブルに載せること及びその飲食物を利き腕で取って飲食をしやすくなる。
【００１２】
ここで、前記ストラップの長さを調整可能にしてなると好ましい。
このような構成によれば、ストラップの長さ（テーブルの取付部に取り付けるストラップ両端部の取付部間の長さ）を使用者の体格に合わせて調整することにより、テーブルの高さを使用者が飲食しやすい高さに変更して使用することができる。
【００１３】
また、前記テーブルに、側面がテーパ状のコップを保持するための円形の通孔を形成するとともに、この通孔に嵌合する有底の第１円筒部及びこの第１円筒部の上方に位置して拡径する第２円筒部からなる飲料ホルダーを備えてなると好ましい。
このような構成によれば、例えば野球場のような缶や瓶の持ち込みができない場所で使用する際には、飲料を入れた側面がテーパ状のコップを円形の通孔内に挿入してより安定した状態で保持することができるとともに、缶や瓶の持ち込みができる場所では、飲料ホルダーの第１円筒部を円形の通孔に嵌合させた状態で飲料ホルダーがテーブルに固定されるため、飲料ホルダー内に缶や瓶に入った飲料を入れることにより、これらを安定した状態で保持することができる。その上、飲料ホルダーをコップとしても使用することができる。
【考案の効果】
【００１４】
以上のように、本考案に係る携帯テーブルによれば、テーブルが例えば合成樹脂製の板状のものであるため、長期間にわたって繰り返し使用することができ、板状のテーブルとストラップとからなるシンプルかつスマートな構成により、若い女性等にも受け入れられやすく、ストラップを肩に斜め掛けした状態で使用され、テーブルの安定性が比較的高いことから、使用者が手でテーブルを略水平に保持し続ける必要がないため、使用者が座った状態及び立った状態において、使用者が飲食物をテーブルに載せること及びその飲食物を手に取って飲食をすることが容易であり、使用者の利き腕と干渉しにくくなるように肩に斜め掛けする方向を変えることができるため飲食しやすいという顕著な効果を奏する。
【図面の簡単な説明】
【００１５】
【図１】本考案の実施の形態に係る携帯テーブルの要部を拡大して示す斜視図である。
【図２】（ａ）はテーブルの平面図、（ｂ）は（ａ）のＸ−Ｘ断面図である。
【図３】使用者がストラップを肩に斜め掛けして椅子に座った状態を示しており、（ａ）は使用者が右利きである場合に適したストラップの掛け方を、（ｂ）は使用者が左利きである場合に適したストラップの掛け方を示している。
【図４】（ａ）は使用者がストラップを肩に斜め掛けして立った状態を、（ｂ）はテーブルを使用せずにストラップを一方の肩に掛けて持ち運んでいる状態を示している。
【図５】（ａ）はテーブルに形成した円形の通孔にテーパ状のコップを保持した状態を示す斜視図であり、（ｂ）は飲料ホルダーを円形の通孔に嵌合させて飲料ホルダー内に缶飲料を保持した状態を示す縦断面図である。
【図６】矩形板状のテーブルの例を示す斜視図である。
【考案を実施するための形態】
【００１６】
次に本考案の実施の形態を添付図面に基づき詳細に説明するが、本考案は、添付図面に示された形態に限定されず実用新案登録請求の範囲に記載の要件を満たす実施形態の全てを含むものである。
なお、本明細書においては、使用者の前方を前、その反対側を後とし、左右は前方に向かっていうものとする。
【００１７】
図１の要部拡大斜視図に示すように、本考案の実施の形態に係る携帯テーブルＡは、使用者の前方で飲食物を載置可能なテーブル１及びテーブル１を使用者が吊り下げるためのストラップ２からなる。
図１及び図２に示すように、テーブル１は板状のものであり、その上面にはコップや缶飲料等を保持するための凹部４が形成されており、テーブル１の左端縁Ｌの前後部及び右端縁Ｒの前後部には、取付部である頭部付きピン３Ａ，３Ａが設けられる。
また、図１に示すように、ストラップ２は帯状のものであり、ストラップ２の両端部２Ａ，２Ｂには、取付部であるスリット付き孔３Ｂ，３Ｂ，…が設けられる。
ここで、テーブル１は、例えばポリプロピレン、ポリアセタール、ナイロン又はＡＢＳ等の強度及び剛性の大きい合成樹脂製である。
また、ストラップ２は、例えばポリ塩化ビニール、ポリウレタン、エラストマー等の可撓性素材からなる。
【００１８】
図１に示すように頭部付きピン３Ａをスリット付き孔３Ｂに通した状態では、頭部付きピン３Ａの頭部により抜け止めがされた状態で保持される。また、ストラップ２は可撓性があるため、スリット付き孔３Ｂから頭部付きピン３Ａを抜いてテーブル１からストラップ２を外すこともできる。すなわち、テーブル１の取付部である頭部付きピン３Ａとストラップ２の取付部であるスリット付き孔３Ｂとは着脱可能に構成される。
なお、テーブル１の取付部及びストラップの取付部の構成は、本実施の形態の構成に限定されるものではなく、テーブル１の取付部及びストラップ２の取付部とが着脱可能な構成であればよく、ストラップ２の形状についても、帯状のものに限定させず、紐状のものや管状のものであってもよい。
【００１９】
図３（ａ）に示すように、ストラップ２の一端部２Ａ（図１参照。）のスリット付き孔３Ｂにテーブル１の左端縁Ｌの前部の頭部付きピン３Ａを挿通して取り付け、ストラップ２の他端部２Ｂ（図１参照。）のスリット付き孔３Ｂにテーブル１の右端縁Ｒの後部の頭部付きピン３Ａを挿通して取り付けてストラップ２を使用者Ｕが肩に斜め掛けした状態で使用され、この状態では、使用者Ｕが右利きである場合に、利き腕とストラップ２が干渉しにくい。
また、図３（ｂ）に示すように、ストラップ２の一端部２Ａ（図１参照。）のスリット付き孔３Ｂにテーブル１の左端縁Ｌの後部の頭部付きピン３Ａを挿通して取り付け、ストラップ２の他端部２Ｂ（図１参照。）のスリット付き孔３Ｂにテーブル１の右端縁Ｒの前部の頭部付きピン３Ａを挿通して取り付けてストラップ２を使用者Ｕが肩に斜め掛けした状態で使用され、この状態では、使用者Ｕが左利きである場合に、利き腕とストラップ２が干渉しにくい。
【００２０】
ここで、ストラップ２の両端部２Ａ，２Ｂ（図１参照。）には、その長手方向に複数個（本実施の形態では３個であるが、２個又は４個以上であってもよい。）のスリット付き孔３Ｂ，３Ｂ，…が形成されているため、ストラップ２の長さ（テーブル１の取付部に取り付けるストラップ２両端部２Ａ，２Ｂの取付部間の長さ）を使用者Ｕの体格に合わせて調整することができるため、テーブル１の高さを使用者Ｕが飲食しやすい高さに変更して使用することができる。
また、テーブル１の後端縁（使用者Ｕ側の端縁）Ｂを、平面視において円弧状に窪ませていることから（図１及び図２（ａ）も参照。）、テーブル１の後端縁Ｂを使用者Ｕの胴部（腹部）に当接させることにより、テーブル１がより安定した状態となるため、使用者Ｕが飲食物をテーブル１に載せること及びその飲食物を手に取って飲食をする際における安定性を高めることができる。
なお、テーブル１の後端縁Ｂを平面視において円弧状に窪ませているが、飲食物を載置するテーブル１の面積が小さくならないように、テーブル１の前端縁Ｆを平面視において円弧状に膨らませている（図１及び図２（ａ）も参照。）。
【００２１】
図３のように使用者Ｕがストラップ２を肩に斜め掛けして椅子に座った状態ではなく、図４（ａ）に示すように使用者Ｕがストラップ２を肩に斜め掛けして立った状態であっても、ストラップ２を肩に斜め掛けした状態であることからテーブル１の安定性が比較的高く、使用者Ｕが手でテーブル１を略水平に保持し続ける必要がない。
また、図４（ｂ）に示すように、ストラップ２の両端部の取付部をテーブル１の左端縁Ｌの前部の取付部及び右端縁Ｒの前部の取付部に取り付けることにより、使用者Ｕがストラップ２を肩に掛けた状態でテーブル１が略垂下するため、体裁の良い形態で容易に持ち運ぶことができる。
なお、このような持ち運びの際には、ストラップ２の両端部の取付部をテーブル１の左端縁Ｌの後部の取付部及び右端縁Ｒの後部の取付部に取り付けてもよく、あるいは、ストラップ２の両端部の取付部をテーブル１の左端縁Ｌ又は右端縁Ｒの前後部の取付部に取り付けてもよい。
さらに、テーブル１からストラップ２を取り外した状態又はテーブル１のストラップ２を取り付けた状態で、鞄等に入れて持ち運ぶこともできる。
【００２２】
図５（ａ）に示すように、テーブル１に側面がテーパ状のコップＣを保持するための円形の通孔５を形成することにより、野球場のような缶や瓶の持ち込みができない場所で使用する際に、飲料を入れたコップＣを通孔５内に挿入してより安定した状態で保持することができる。
また、図５（ｂ）に示すように、底面６Ｃを有して通孔５に嵌合する第１円筒部６Ａ及び第１円筒部６Ａの上方に位置して拡径する第２円筒部６Ｂからなる飲料ホルダー６を用意し、缶や瓶の持ち込みができる場所では、飲料ホルダー６の第１円筒部６Ａを円形の通孔に嵌合させた状態で飲料ホルダー６がテーブル１に固定されるため、飲料ホルダー６内に缶飲料Ｄや瓶に入った飲料を入れることにより、これらを安定した状態で保持することができる。その上、飲料ホルダー６をコップとしても使用することができる。
【００２３】
以上のような携帯テーブルＡの構成によれば、テーブル１が例えば合成樹脂製の板状のものであるため、長期間にわたって繰り返し使用することができる。
また、板状のテーブル１とストラップ２とからなるシンプルかつスマートな構成により、若い女性等にも受け入れられやすい。
さらに、ストラップ２を使用者Ｕが肩に斜め掛けした状態で使用され、テーブル１の安定性が比較的高いことから、使用者Ｕが手でテーブルを略水平に保持し続ける必要がないため、使用者Ｕが座った状態及び立った状態において、使用者Ｕが飲食物をテーブル１に載せやすく、また、その飲食物を手に取って飲食しやすい。
さらにまた、ストラップ２を使用者Ｕが肩に斜め掛けする方向を、図３（ａ）のような使用者Ｕが右利きである場合に利き腕とストラップ２が干渉しにくい方向と、図３（ｂ）のような使用者Ｕが左利きである場合に利き腕とストラップ２が干渉しにくい方向とに変更して使用することができることから、使用者Ｕの利き腕に合わせてストラップ２を付け替えて利き腕とストラップ２が干渉しにくい方向に肩に斜め掛けすることにより、使用者Ｕが利き腕で飲食物をテーブル１に載せること及びその飲食物を利き腕で取って飲食をしやすくなる。
【００２４】
また、テーブル１を図６に示すような略矩形板状で上下面の両方をテーブル面としたものとし、テーブル１の左端縁Ｌの後部及びテーブル１の右端縁Ｒの前部に、取付部である頭部付きピン３Ａ，３Ａを設けることにより、図１に示すようなストラップ２の両端部２Ａ，２Ｂの取付部であるスリット付き孔３Ｂ，３Ｂをテーブル１の左右端縁Ｌ，Ｒの頭部付きピン３Ａ，３Ａに取り付けた状態で、ストラップ２の取付部とテーブル１の取付部との取付箇所を変更することなく、テーブル１の上下を反転させて使用することにより、使用者Ｕの利き腕と干渉しにくくなるようにストラップ２を肩に斜め掛けする方向を容易に変えることができる。
図６のような構成では、上下を反転させて使用可能であるため、テーブル１の左端縁Ｌの前部及びテーブル１の右端縁Ｒの後部に取付部（例えば頭部付きピン３Ａ）を設けてもよいし、テーブル１の取付部とストラップ２の取付部とを着脱可能にしなくてもよい。
【００２５】
以上の説明におけるストラップ２の長さ調節は、ストラップ２をその長さ方向の途中箇所で分離してバックル等により長さ調節を行うようにしてもよい。
【符号の説明】
【００２６】
１  テーブル
２  ストラップ
２Ａ  一端部
２Ｂ  他端部
３Ａ  頭部付きピン（取付部）
３Ｂ  スリット付き孔（取付部）
４  凹部
５  通孔
６  飲料ホルダー
６Ａ  第１円筒部
６Ｂ  第２円筒部
６Ｃ  底板
Ａ  携帯テーブル
Ｂ  後端縁（使用者側の端縁）
Ｃ  コップ
Ｄ  缶飲料
Ｆ  前端縁
Ｌ  左端縁
Ｒ  右端縁
Ｕ  使用者
【図１】
0003171470.tif 000003
【図２】
0003171470.tif 000004
【図３】
0003171470.tif 000005
【図４】
0003171470.tif 000006
【図５】
0003171470.tif 000007
【図６】
0003171470.tif 000008